(57)【要約】【課題】  不具合の発生や大型化を有効に防止して、メンテナンス性の向上を図った画像形成装置を提供する。【解決手段】  装置本体２の開口部１３を塞ぐバックカバー１４が着脱自在に装着され、バックカバー１４の内側に装置１を駆動制御するための制御基板３２が配置され、制御基板３２の内側に電磁クラッチ２０ａ，２０ｂ，２０ｃやモータ２１が配置される。制御基板３２が、電磁クラッチ２０ａ，２０ｂ，２０ｃやモータ２１の存在しない領域に対応して配置されたメイン基板３２Ａと、それらが存在する領域に対応して着脱自在に配置された電力供給停止許容素子実装用サブ基板３２Ｂとに分割されている。【選択図】    図２
2007309958.tif 000002
【特許請求の範囲】
【請求項１】
装置本体に備えられた開口部を塞ぐメンテナンス用カバーが着脱自在に装着され、該メンテナンス用カバーの内側に装置を駆動制御するための制御基板が配置され、該制御基板の内側に駆動系主交換部品が配置された画像形成装置において、
前記制御基板が、前記駆動系主交換部品の存在しない領域に対応して配置されたメイン基板と、駆動系主交換部品の存在する領域に対応して着脱自在に配置された電力供給停止許容素子実装用サブ基板とに分割されていることを特徴とする画像形成装置。
【請求項２】
請求項１に記載の画像形成装置において、
前記サブ基板は、前記駆動系主交換部品の存在する領域に対応して配置された支持フレームに装着され、サブ基板が支持フレームに装着された状態で、支持フレームが前記装置本体に着脱自在に装着されていることを特徴とする画像形成装置。
【請求項３】
請求項１または請求項２に記載の画像形成装置において、
前記駆動系主交換部品は複数の電磁クラッチを含み、各電磁クラッチにそれぞれ着脱自在に配線接続される互いに異なる複数種の接続ハーネスを備え、各電磁クラッチの配置位置近傍に、各電磁クラッチにそれぞれ配線接続される接続ハーネスの種類に応じた識別マークが表示されていることを特徴とする画像形成装置。
【請求項４】
請求項２または請求項３に記載の画像形成装置において、
前記支持フレームは、外装カバーが重合状態で装着される外壁面部を備え、前記外装カバーに、外壁面部を前記装置本体に着脱自在に固定する固定ネジが装着される位置に対応して、固定ネジの頭部が通過自在なネジ操作孔が形成されていることを特徴とする画像形成装置。
【発明の詳細な説明】
【技術分野】
【０００１】
本発明は、電磁クラッチ等の部品交換を容易に行えるようにした画像形成装置に関するものである。
【背景技術】
【０００２】
従来、コピー機やファクシミリ装置等の画像形成装置においては、電磁クラッチ等の駆動関係部品は本体内部にある場合が多い。また、電磁クラッチ等によって構成される動力伝達機構は、メンテナンスの関係上、装置本体の背面側に配置されている場合が多い。
【０００３】
即ち、動力伝達機構は装置本体内部に動力を伝達する構成上、装置本体に存在する回転自在に支持された軸部材等と直結されており、装置本体内の最背面に配置されることは殆どなく、最背面には一般的に装置を駆動制御するための制御基板が配置されることが多い。
【０００４】
このように配置された画像形成装置において、メンテナンス時に交換品度の高い電磁クラッチ等の部品交換を行う場合には、装置本体に備えられたメンテナンス用カバーを取外し、装置本体内の最背面に配置された制御基板を取外した後、動力伝達機構における電磁クラッチ等にアクセスして部品交換を行っていた。
【０００５】
また、装置本体の背面に、モータ等の駆動手段や高圧基板や低圧基板等を備えると共に、モータ等の駆動手段を覆って画像情報の処理を行うコントロール基板を備え、コントロール基板はシャーシに開閉可能に取付けられた基板支持部材に取付けられた構造の画像形成装置も提案されている（例えば、特許文献１参照。）。
【０００６】
そして、モータ等のメンテナンス時には、基板支持部材を回動させて側方に退避させることにより、モータ等のメンテナンスを簡単に行えるようにしていた。
【０００７】
【特許文献１】特開２００１−３４７７２３号公報
【発明の開示】
【発明が解決しようとする課題】
【０００８】
しかしながら、上記のように制御基板を取外して電磁クラッチ等の部品交換を行う構造によれば、一度適切に配置され、かつ電気的に接続されている制御基板を取外した場合、実装されている揮発性メモリ（ＤＲＡＭ）に対する電力供給が不用意に停止された場合には、受信データや画像データ等の一時的データが消失する等の不具合や他の部材との接触による断線等の新たな不具合が発生するおそれが大であった。
【０００９】
また、特許文献１に開示のように、回動により退避自在とする基板支持部材に制御基板を支持させる構造とすれば、部品交換時に制御基板を取外す必要はないが、装置本体の内部構造の複雑化や装置自体の大型化を招くおそれがあった。
【００１０】
さらに、部品交換が必要とされる電磁クラッチ等の交換部品が配置されない領域に、制御基板を配置できる領域を確保する構造とした場合にも、部品交換時に制御基板を取外す必要はないが、装置自体の大型化を招く欠点がある。
【００１１】
そこで、本発明は上記点に鑑み、不具合の発生や大型化を有効に防止して、メンテナンス性の向上を図った画像形成装置を提供することを目的とする。
【課題を解決するための手段】
【００１２】
上記課題を解決するための技術的手段は、装置本体に備えられた開口部を塞ぐメンテナンス用カバーが着脱自在に装着され、該メンテナンス用カバーの内側に装置を駆動制御するための制御基板が配置され、該制御基板の内側に駆動系主交換部品が配置された画像形成装置において、前記制御基板が、前記駆動系主交換部品の存在しない領域に対応して配置されたメイン基板と、駆動系主交換部品の存在する領域に対応して着脱自在に配置された電力供給停止許容素子実装用サブ基板とに分割されている点にある。
【００１３】
また、前記サブ基板は、前記駆動系主交換部品の存在する領域に対応して配置された支持フレームに装着され、サブ基板が支持フレームに装着された状態で、支持フレームが前記装置本体に着脱自在に装着されている構造としてもよい。
【００１４】
さらに、前記駆動系主交換部品は複数の電磁クラッチを含み、各電磁クラッチにそれぞれ着脱自在に配線接続される互いに異なる複数種の接続ハーネスを備え、各電磁クラッチの配置位置近傍に、各電磁クラッチにそれぞれ配線接続される接続ハーネスの種類に応じた識別マークが表示されている構造としてもよい。
【００１５】
また、前記支持フレームは、外装カバーが重合状態で装着される外壁面部を備え、前記外装カバーに、外壁面部を前記装置本体に着脱自在に固定する固定ネジが装着される位置に対応して、固定ネジの頭部が通過自在なネジ操作孔が形成されている構造としてもよい。
【発明の効果】
【００１６】
以上のように、本発明の画像形成装置によれば、制御基板が、駆動系主交換部品の存在しない領域に対応して配置されたメイン基板と、駆動系主交換部品の存在する領域に対応して着脱自在に配置された電力供給停止許容素子実装用サブ基板とに分割されている構造とされているため、電磁クラッチ等の駆動系主交換部品のメンテナンス時における部品交換に際しては、メイン基板を取外さずに、サブ基板のみを取外せばよい。
【００１７】
この際、サブ基板に実装されている部品は電力供給が停止されても支障がない電力供給停止許容素子であるため、電力供給の停止に起因する不具合の発生が有効に防止できる。また、メイン基板とサブ基板とに分割された構造とされているため、着脱自在とされるサブ基板の大きさも小さくでき、基板の取扱い性が向上し、他の部材との接触による断線等の不具合の発止も有効に防止できる。
【００１８】
ここに、不具合の発生や装置自体の大型化を有効に防止して、メンテナンス性の向上が図れるという利点がある。
【００１９】
また、サブ基板は、駆動系主交換部品の存在する領域に対応して配置された支持フレームに装着され、サブ基板が支持フレームに装着された状態で、支持フレームが装置本体に着脱自在に装着されている構造とすれば、サブ基板と支持フレームとをユニットとして一体に取外すことができるため、支持フレームからサブ基板を取外す必要がなく、メンテナンス性が向上する。
【００２０】
さらに、駆動系主交換部品は複数の電磁クラッチを含み、各電磁クラッチにそれぞれ着脱自在に配線接続される互いに異なる複数種の接続ハーネスを備え、各電磁クラッチの配置位置近傍に、各電磁クラッチにそれぞれ配線接続される接続ハーネスの種類に応じた識別マークが表示されている構造とすれば、各電磁クラッチの部品交換後において、それぞれ配線接続される各接続ハーネスの接続対象が容易に識別できる利点がある。
【００２１】
また、支持フレームは、外装カバーが重合状態で装着される外壁面部を備え、外装カバーに、外壁面部を装置本体に着脱自在に固定する固定ネジが装着される位置に対応して、固定ネジの頭部が通過自在なネジ操作孔が形成されている構造とすれば、装置本体から支持フレームを取外すに際して、外装カバーに形成されたネジ操作孔を通じて装置本体の外側面から直接固定ネジにアクセスでき、固定ネジの着脱操作が行えるため、支持フレームの外壁面部から外装カバーを取外す必要がなく、この点からもメンテナンス性の向上が図れる。
【発明を実施するための最良の形態】
【００２２】
以下、本発明の実施形態を図面に基づいて説明すると、図１は本発明の画像形成装置の一例としてのファクシミリ装置１を示している。このファクシミリ装置１は、装置本体２の上部に原稿読み取り用の読取部３が配置され、下部には読取部３で読み取られたデータを記録するための記録部４が配置されている。
【００２３】
そして、記録部４には記録装置および給紙カセットがそれぞれ上下に内装されており、給紙カセット内に載置される用紙を記録装置へ給紙して記録した後に、記録紙排出トレイへ排出するように構成されている。
【００２４】
また、読取部３の上方には、背面に配置された枢軸部５を介して開閉可能に構成される原稿押さえカバー６が配置され、該原稿押さえカバー６により読取部３上面の所定位置に載置された原稿を上方から押さえる構造とされている。そして、載置された原稿を読取部３により走査して、原稿の読み取りを行うように構成されている。
【００２５】
さらにまた、原稿押さえカバー６の一端部には、原稿を自動的に給紙する自動原稿搬送装置（ＡＤＦ装置）７が設けられており、該自動原稿搬送装置７は原稿供給トレイ８に載置された原稿を、一枚ずつピックアップして、読取部３の所定位置へ搬送し、読取部３により原稿の表面に表示された文字等からなる画像情報、いわゆる原稿内容を読み取った後に、原稿供給トレイ８の下側に配置された、即ち原稿押さえカバー６の上面に備えられた原稿排出トレイ９へ排出するように構成されている。
【００２６】
即ち、読取部３は、図示省略の読取装置を走査させて静止原稿を読み取るフラットベッドタイプのスキャナとして用いると共に、読取装置を位置固定して原稿を搬送しながら読み取りを行うシートフィードタイプのスキャナとして用いることができるように構成されている。
【００２７】
また、読取部３の正面にはファクシミリ装置１操作用のキーパネルが付設され、該キーパネルの各種操作キーを操作することにより、原稿内容の読み取りを行ったり、読み取った内容をファクシミリ送信する際の送信先の設定を行ったり、受信内容や読み取った内容の記録を行ったりするように構成されている。
【００２８】
さらに、本実施形態においては、装置本体２の下面に下段用カセットとなる給紙カセット１０が装着された構造とされている。この下段用給紙カセット１０の背面には、左右方向に離隔して一対の連結ブラケット１１が上向き突出状態に突設されており、各連結ブラケット１１は固定ネジ１２により装置本体２に固定された構造とされている。
【００２９】
即ち、図２にも示されるように、装置本体２は、その背面に備えられた開口部１３を塞ぐメンテナンス用カバーとしてのバックカバー１４が、着脱自在に装着される構造とされている。そして、前記各連結ブラケット１１は、固定ネジ１２による連結ブラケット１１に形成されたネジ挿通孔１１ａおよびバックカバー１４に形成されたネジ挿通孔１４ａの挿通を介して、装置本体２に備えられたネジ止め部１５にそれぞれ螺合締結することにより着脱自在に固定される構造とされている。
【００３０】
また、バックカバー１４の周縁部には、図２に示されるように、適宜間隔を有して複数のネジ挿通孔１４ｂが形成されており、これら各ネジ挿通孔１４ｂの位置に対応する開口部１３の周縁部には、それぞれ雌ネジ孔１６ａが形成された取付ブラケット部１６が備えられている。
【００３１】
これら連結ブラケット１１が固定される各ネジ止め部１５やバックカバー１４が固定される各取付ブラケット部１６は、本実施形態においては、板金等からなる金属板の舌片部が折曲形成された構造とされている。
【００３２】
そして、バックカバー１４は、各固定ネジ１８によるバックカバー１４の各ネジ挿通孔１４ｂの挿通を介して、各取付ブラケット部１６の雌ネジ孔１６ａにそれぞれ螺合締結することにより、装置本体２の背面にバックカバー１４が着脱自在に固定される構造とされている。
【００３３】
また、装置本体２内には、図２ないし図４に示されるように、電磁クラッチ２０ａ，２０ｂ，２０ｃやモータ２１やギア機構等から構成される動力伝達機構が備えられており、交換頻度が高く、定期的な部品交換が必要とされる駆動系主交換部品である電磁クラッチ２０ａ，２０ｂ，２０ｃやモータ２１は、本実施形態では、装置本体２内、即ち記録部４内の一側部（例えば図２ないし図４の左側）寄りの背面側に配置されている。
【００３４】
そして、前記各電磁クラッチ２０ａ，２０ｂ，２０ｃは、搬送ローラ等が装着されると共に回転自在に支持された搬送系の回転軸２２ａ，２２ｂ，２２ｃの一端部にそれぞれ着脱自在に装着された構造とされている。なお、本実施形態では、各回転軸２２ａ，２２ｂ，２２ｃの一端部に各電磁クラッチ２０ａ，２０ｂ，２０ｃが装着された状態で、図示省略の樹脂リング（止め輪）を回転軸２２ａ，２２ｂ，２２ｃに取付けることにより、電磁クラッチ２０ａ，２０ｂ，２０ｃが回転軸２２ａ，２２ｂ，２２ｃに抜止め状態に装着される構造とされている。
【００３５】
また、各電磁クラッチ２０ａ，２０ｂ，２０ｃにはそれぞれ電力供給用の接続ハーネス２３ａ，２３ｂ，２３ｃがコネクタ接続を介して着脱自在に配線接続されており、各接続ハーネス２３ａ，２３ｂ，２３ｃは接続対象が識別できるように、互いに異なる色が着色された複数種とされている。そして、本実施形態では、イエロー、レッド、ブラウンの三色の異なる接続ハーネス２３ａ，２３ｂ，２３ｃとされると共に、接続対象である各電磁クラッチ２０ａ，２０ｂ，２０ｃの配置位置の近傍の装置フレーム２４の表面には、各電磁クラッチ２０ａ，２０ｂ，２０ｃにそれぞれ配線接続される接続ハーネス２３ａ，２３ｂ，２３ｃの色に対応する頭文字等からなる識別マーク２５ａ，２５ｂ，２５ｃが刻印等により表示されている。
【００３６】
即ち、各電磁クラッチ２０ａ，２０ｂ，２０ｃは同じ仕様の電磁クラッチを使用するため、電磁クラッチ２０ａ，２０ｂ，２０ｃそのものに区別はなく、いずれの回転軸２２ａ，２２ｂ，２２ｃに取り付けてもよい。これとは逆に、各電磁クラッチ２０ａ，２０ｂ，２０ｃを制御するための接続ハーネス２３ａ，２３ｂ，２３ｃは、その制御目的により（搬送系ごとに）区別する必要があることによる。
【００３７】
そして、これら電磁クラッチ２０ａ，２０ｂ，２０ｃやモータ２１の背面側に位置した記録部４の一側部に、図２や図３に示されるような支持フレーム２６が着脱自在に装着されている。この支持フレーム２６は、各電磁クラッチ２０ａ，２０ｂ，２０ｃやモータ２１の背面を覆うべく配置される仕切り面部２６ａと、仕切り面部２６ａの上部に備えられた天井面部２６ｂと、仕切り面部２６ａの一側部に備えられた外壁面部２６ｃと有した立体的な構造とされている。
【００３８】
この支持フレーム２６は、仕切り面部２６ａが装置フレーム２４に複数の固定ネジ２７により固定されると共に、外壁面部２６ｃの下部が記録部４の底部一側に配置された取付ブラケット部２８に固定ネジ２９により固定されている。この際、各固定ネジ２７は後述するサブ基板３２Ｂを避けた位置で、装置１の背面から螺合操作自在な位置に配置されており、装置フレーム２４の対応位置にそれぞれ形成された雌ネジ孔２４ａに螺合締結される構造とされている。また、固定ネジ２９は取付ブラケット部２８に形成された雌ネジ孔に螺合締結される構造とされている。
【００３９】
そして、この支持フレーム２６の固定状態において、支持フレーム２６は装置本体２の開口部１３の一部を構成しており、天井面部２６ｂの後端縁や外壁面部２６ｃの後端縁には、バックカバー１４が取付けられる前記取付ブラケット部１６が備えられた構造とされている。また、外壁面部２６ｃの外側面には、樹脂成形体等からなる外面装飾用の外装カバー３０が重合状態として着脱自在に装着されている。この際、外装カバー３０には、外壁面部２６ｃを着脱自在に固定する固定ネジ２９が装着される位置に対応して、図５に示されるように、固定ネジ２９の頭部２９ａが通過自在な円形のネジ操作孔３０ａが形成され、固定ネジ２９の頭部２９ａが外側部に露出する構成とされている。
【００４０】
また、バックカバー１４の内側に位置した装置本体２内、即ち記録部４内の最も背面側に位置して、装置１を駆動制御するための制御基板３２が配置されている。そして、本実施形態における制御基板３２は、図２ないし図４に示されるように、駆動系主交換部品である電磁クラッチ２０ａ，２０ｂ，２０ｃやモータ２１が存在しない領域に対応する中央部や右側部の領域にわたって配置された大形のメイン基板３２Ａと、駆動系主交換部品である電磁クラッチ２０ａ，２０ｂ，２０ｃやモータ２１が存在する領域に対応する左側部の領域に配置された小形のサブ基板３２Ｂとに分割された構造とされている。
【００４１】
そして、メイン基板３２Ａは、記録部４内に適宜備えられた取付け部に着脱自在にネジ締結され、またサブ基板３２Ｂは、支持フレーム２６における仕切り面部２６ａに適宜備えられた取付け部３３に着脱自在にネジ締結されている。
【００４２】
また、サブ基板３２Ｂは、取外しにより電力供給が停止されても問題が出にくいいわゆる電力供給停止許容素子の実装用とされており、例えば、本実施形態では、ＮＣＵ等のハンドセット用素子が搭載された構成とされている。これに対し、メイン基板３２Ａには、一時的データを保持するＤＲＡＭ等の揮発性メモリや、電力供給が停止されてもデータを保持するフラッシュメモリ等の不揮発性メモリ、電池、ＣＰＵ等のその他の各種の素子が実装されている。そして、メイン基板３２Ａとサブ基板３２Ｂとは、図示省略のハーネスによる着脱自在なコネクタ接続を介して、互いに接続された構成とされている。
【００４３】
本実施形態は以上のように構成されており、電磁クラッチ２０ａ，２０ｂ，２０ｃやモータ２１の交換を行うメンテナンス時においては、先ず、ファクシミリ装置１における背面のバックカバー１４を取外せばよい。このバックカバー１４を取外す場合には、各固定ネジ１２や各固定ネジ１８を弛緩して取外せば、図２に示されるように、装置本体２からバックカバー１４を取外すことができる。
【００４４】
次に、各電磁クラッチ２０ａ，２０ｂ，２０ｃの背面側に位置する支持フレーム２６を取外す。この支持フレーム２６を取外す場合には、背面側から螺合操作可能に配置されている各固定ネジ２７を弛緩して取外すと共に、一側面外方から外装カバー３０のネジ操作孔３０ａを利用して、固定ネジ２９を弛緩して取外す。そして、サブ基板３２Ｂに接続されているコネクタを外せば、図３に示されるように、支持フレーム２６がサブ基板３２Ｂと一体で取外すことができる。
【００４５】
ここに、各電磁クラッチ２０ａ，２０ｂ，２０ｃが現れ、各回転軸２２ａ，２２ｂ，２２ｃより樹脂リングを外した後、電磁クラッチ２０ａ，２０ｂ，２０ｃを各回転軸２２ａ，２２ｂ，２２ｃの端部から引き抜けば、各電磁クラッチ２０ａ，２０ｂ，２０ｃを各回転軸２２ａ，２２ｂ，２２ｃより取外すことができる。そして、電磁クラッチ２０ａ，２０ｂ，２０ｃにそれぞれ配線接続されている接続ハーネス２３ａ，２３ｂ，２３ｃのコネクタを取外せばよい。
【００４６】
そして、各電磁クラッチ２０ａ，２０ｂ，２０ｃを交換した後、上記と逆の手順により順次組み付けていけばよい。また、モータ２１も装置フレーム２４等に背面側からネジ止め等により着脱自在に装着されており、モータ２１の交換に際しても、電磁クラッチ２０ａ，２０ｂ，２０ｃの交換の場合と同様にして行うことができる。
【００４７】
以上のように、本実施形態におけるメンテナンス時の電磁クラッチ２０ａ，２０ｂ，２０ｃの部品交換によれば、制御基板３２がメイン基板３２Ａとサブ基板３２Ｂとに分割構成されており、揮発性メモリ等が搭載されたメイン基板３２Ａを何ら取外すことなく、部品交換が行えるため、一時的データの消失等の不具合が有効に防止できる。
【００４８】
そして、取外されるサブ基板３２Ｂに実装されている部品は電力供給が停止されても支障がないハンドセット等の電力供給停止許容素子であるため、電力供給の停止に起因する不具合の発生が有効に防止できる。また、メイン基板３２Ａとサブ基板３２Ｂとに分割された構造とされているため、着脱自在とされるサブ基板３２Ｂの大きさもコンパクトで小さくでき、基板３２Ｂの取扱い性が向上し、他の部材との接触による断線等の不具合の発止も有効に防止できる利点がある。
【００４９】
従って、制御基板３２を分割構成すると共に、電力供給が停止されると不具合が生じる素子や着脱に際して支障が生じやすい素子等は、部品交換時に着脱しなくてもよいメイン基板３２Ａにまとめて実装し、着脱されるサブ基板３２Ｂには電力供給が停止されても支障が出にくい素子を実装しているため、不具合の発生や装置１自体の大型化を有効に防止して、メンテナンス性の向上が図れるという利点がある。
【００５０】
また、サブ基板３２Ｂは、支持フレーム２６の仕切り面部２６ａに着脱自在に装着されているが、サブ基板３２Ｂは支持フレーム２６に装着された状態で、装置本体２に対して着脱自在とされているため、図３に示されるように、サブ基板３２Ｂと支持フレーム２６とをユニットとして一体に取外すことができ、支持フレーム２６からサブ基板３２Ｂを取外す必要がなく、この点からもメンテナンス性が向上する。
【００５１】
さらに、支持フレーム２６の外壁面部２６ｃには、外装カバー３０が重合状態で装着されているが、外装カバー３０にネジ操作孔３０ａが形成されているため、外壁面部２６ｃと取付ブラケット部２８との固定部分における固定ネジ２９は、装置本体２の外側面から直接アクセスでき、ネジ操作孔３０ａを通じて固定ネジ２９を螺合操作できるため、固定ネジ２９の着脱操作が容易に行え、外壁面部２６ｃから外装カバー３０を何ら取外す必要がなく、作業性に優れ、この点からもメンテナンス性の向上が図れる。
【００５２】
また、各電磁クラッチ２０ａ，２０ｂ，２０ｃの配置位置近傍に位置して、装置フレーム２４に各電磁クラッチ２０ａ，２０ｂ，２０ｃにそれぞれ配線接続される接続ハーネス２３ａ，２３ｂ，２３ｃの種類に応じた色の識別マーク２５ａ，２５ｂ，２５ｃが表示されているため、各電磁クラッチ２０ａ，２０ｂ，２０ｃの部品交換後における配線接続に際して、それぞれ配線接続される接続対象の接続ハーネス２３ａ，２３ｂ，２３ｃが容易に識別でき、各電磁クラッチ２０ａ，２０ｂ，２０ｃが同一種類であっても接続間違いが有効に防止できる利点がある。
【００５３】
なお、前記実施形態においては、サブ基板３２Ｂに電力供給停止許容素子としてハンドセット用素子が搭載された構造を示しているが、電力供給が停止されてもあまり支障が出ないその他の素子等であってもよく、実施形態に何ら限定されない。
【００５４】
また、支持フレーム２６の形状、構造等も実施形態の形状や構造等に何ら限定されない。
【００５５】
さらに、前記実施形態においては、画像形成装置としてファクシミリ装置１に適用した構造について説明しているが、これに限定するものではなく、コピー機やスキャナ装置等その他の画像形成装置に適用することもできる。
【図面の簡単な説明】
【００５６】
【図１】本発明の実施形態にかかるファクシミリ装置の背面図である。
【図２】同バックカバーを取外した状態の背面説明図である。
【図３】同支持フレームを取外した状態の背面説明図である。
【図４】各電磁クラッチを取外した状態の背面説明図である。
【図５】図３のＶ−Ｖ線断面矢視図である。
【符号の説明】
【００５７】
１  ファクシミリ装置
２  装置本体
４  記録部
１３  開口部
１４  バックカバー
１８  固定ネジ
２０ａ，２０ｂ，２０ｃ  電磁クラッチ
２１  モータ
２２ａ，２２ｂ，２２ｃ  回転軸
２３ａ，２３ｂ，２３ｃ  接続ハーネス
２４  装置フレーム
２５ａ，２５ｂ，２５ｃ  識別マーク
２６  支持フレーム
２６ａ  仕切り面部
２６ｂ  天井面部
２６ｃ  外壁面部
２７  固定ネジ
２８  取付ブラケット部
２９  固定ネジ
３０  外装カバー
３０ａ  ネジ操作孔
３２  制御基板
３２Ａ  メイン基板
３２Ｂ  サブ基板
【図１】
2007309958.tif 000003
【図２】
2007309958.tif 000004
【図３】
2007309958.tif 000005
【図４】
2007309958.tif 000006
【図５】
2007309958.tif 000007